(57)【要約】【課題】  家庭用血圧計としての利点を損なわずに正しい血圧測定結果が得られる電子血圧計を提供する。【解決手段】  電子血圧計１Ａは、本体１０に貫通状の腕挿通部１１を設け、この腕挿通部１１に円筒状のカフを設けたもので、腕挿通部１１に腕を挿通したときに腕挿通部１１から出た肘を置く肘置き部２０を本体１０に付設してなる。肘置き部２０は、肘置き状態（実線）と非使用状態（二点鎖線）とで位置変更可能となるように、本体１０の背面下部に支軸部１５により回転可能に支持され、非使用状態では本体１０の支軸部１５より上側に収納されるように構成されている。肘置き部２０は、基端支持部２１、末端支持部２２及び肘支持部２３からなる。血圧測定時には、肘置き部２０を肘置き状態とし、腕挿通部１１から出た肘を肘置き部２０に置く。【選択図】      図１
2006000337.tif 000002
【特許請求の範囲】
【請求項１】
本体に貫通状の腕挿通部を設け、この腕挿通部に円筒状のカフを設けた電子血圧計において、
前記本体の腕挿通部に腕を挿通したときに腕挿通部から出た肘を置く肘置き部を前記本体に付設するとともに、この肘置き部を肘置き状態と非使用状態とで位置変更可能に構成したことを特徴とする電子血圧計。
【請求項２】
前記肘置き部は、前記本体に設けられた支軸部により前記肘置き状態と非使用状態とに回転可能に支持され、前記非使用状態では前記本体の前記支軸部より上側に収納されることを特徴とする請求項１記載の電子血圧計。
【請求項３】
前記肘置き部は、前記本体に設けられた支軸部により前記肘置き状態と非使用状態とに回転可能に支持され、前記非使用状態では前記本体の前記支軸部より下側に収納されることを特徴とする請求項１記載の電子血圧計。
【請求項４】
前記肘置き部は、前記本体にスライド出入可能に収納されることを特徴とする請求項１記載の電子血圧計。
【請求項５】
前記肘置き部は、前記非使用状態では前記本体を支持する脚部として、前記肘置き状態では脚部及び肘置き部として機能するように、前記本体に設けられた支軸部により回転可能に取付けられていることを特徴とする請求項１記載の電子血圧計。
【請求項６】
前記肘置き部は、前記肘置き状態では脚部及び肘置き部として機能するように、前記本体に一体に設けられていることを特徴とする請求項１記載の電子血圧計。
【請求項７】
前記肘置き部は、この肘置き部を前記肘置き状態に位置変更させたときに、前記腕挿通部が手前側からその反対側に向かって斜め下向きとなる前記本体の傾斜状態を支持する形状を有することを特徴とする請求項１、請求項２、請求項３、請求項４、請求項５又は請求項６記載の電子血圧計。
【請求項８】
本体に貫通状の腕挿通部を設け、この腕挿通部に円筒状のカフを設けた電子血圧計において、
前記本体の腕挿通部に腕を挿通したときに腕挿通部から出た肘を置く肘置き部を前記本体に着脱可能に構成したことを特徴とする電子血圧計。
【請求項９】
本体に貫通状の腕挿通部を設け、この腕挿通部に円筒状のカフを設けた電子血圧計において、
前記本体の腕挿通部に腕を挿通したときに腕挿通部から出た肘を置く肘置き部を前記本体に突設したことを特徴とする電子血圧計。
【請求項１０】
前記肘置き部は、肘よりも基端側を支持する基端支持部と、この基端支持部に曲がって連続するとともに肘よりも末端側を支持する末端支持部とからなり、前記基端支持部と末端支持部との変曲部が肘支持部となることを特徴とする請求項１、請求項２、請求項３、請求項４、請求項５、請求項６、請求項７、請求項８又は請求項９記載の電子血圧計。
【発明の詳細な説明】
【技術分野】
【０００１】
この発明は、生体（特に腕）に装着して血圧を測定するのに使用する電子血圧計に関する。
【背景技術】
【０００２】
電子血圧計において、カフを自動で巻付けることのできる血圧計は２種類に分別することができる。１つは病院などに備え付けてある業務用の血圧計で、もう１つは小型で持ち運びのできる家庭用の血圧計である。
【０００３】
前者の業務用血圧計としては、本体に、測定値等を表示する表示部と、挿入された腕に腕帯（カフ）を自動的に巻付ける腕帯部と、測定値等を印字出力するプリンタ部とを備えた血圧測定装置がある（例えば、特許文献１参照）。
【０００４】
後者の家庭用血圧計は、上記特許文献１記載の装置のように業務用血圧計が大型且つ重量であることから持ち運びに便利なように、その業務用血圧計の利点であるカフの自動巻付けと、カフを手動で巻付ける携帯型の血圧計の利点である小型・軽量の構造とを取り入れたものである。
【０００５】
そのような家庭用血圧計は、例えば図１５に示すような形態である。図１５の電子血圧計１００は、本体１０１に貫通状の腕挿通部１０２を設け、この腕挿通部１０２に円筒状のカフ（図示せず）を設けたものであり、本体１０１に表示部１０３、測定開始ボタン１０４、測定停止ボタン１０５等が配置されている。
【０００６】
このような電子血圧計１００にあっては、様々な改良が施されている。例えば、空気袋をシャーシの内側に筒状に納め、空気袋に加圧空気を導入して測定部位を阻血するカフ装置において、加圧空気の導入前に空気袋が膨らんだ状態に保持されるようクッション材を空気袋の内部に設けた血圧測定用のカフ装置がある（例えば、特許文献２参照）。
【特許文献１】特開２０００−２１７７９４号公報
【特許文献２】特開２００３−３８４５１号公報（〔００５３〕〜〔００６１〕，〔００６４〕，        〔００６５〕、図８，図９，図１１）
【発明の開示】
【発明が解決しようとする課題】
【０００７】
しかしながら、上記特許文献２記載のカフ装置を備える血圧計を含む家庭用血圧計では、なるべく小型にする必要があることから、肘置きやカフ角度調節機能が省略されることが多い。このため、測定に際し腕をカフに挿入するとき、使用者は腕をどこまで挿入すればいいのかが分からず、腕の挿入深さを間違えたり、不自然な姿勢や位置で測定を行うことになり、正しい血圧測定結果が得られない可能性が高くなる。一方、そのような問題点を克服するために、業務用血圧計の肘置きやカフ角度調節機能を設けると、血圧計が大型になってしまい、家庭用血圧計の利点を損ない、使いづらくなってしまう、という別の問題点が生じる。
【０００８】
本発明は、そのような問題点に着目してなされたもので、家庭用血圧計としての利点を損なわずに正しい血圧測定結果が得られる電子血圧計を提供することを目的とする。
【課題を解決するための手段】
【０００９】
前記目的を達成するために、本発明の電子血圧計は、本体に貫通状の腕挿通部を設け、この腕挿通部に円筒状のカフを設けたものにおいて、本体の腕挿通部に腕を挿通したときに腕挿通部から出た肘を置く肘置き部を本体に付設するとともに、この肘置き部を肘置き状態と非使用状態とで位置変更可能に構成したことを特徴とする。
【００１０】
この電子血圧計では、血圧測定時には肘置き部を肘置き状態とし、腕挿通部から出た肘を肘置き部に置き、測定時以外のときは肘置き部を非使用状態としておく。
【００１１】
この電子血圧計において、肘置き部は、本体に設けられた支軸部により肘置き状態と非使用状態とに回転可能に支持され、非使用状態では本体の支軸部より上側に収納されることが好ましい。この場合、測定時は肘置き部を肘置き状態まで回転させ、それ以外のときは肘置き部を本体の支軸部より上側に収納して非使用状態としておく。
【００１２】
また、肘置き部は、本体に設けられた支軸部により肘置き状態と非使用状態とに回転可能に支持され、非使用状態では本体の支軸部より下側に収納されることが好ましい。この場合、血圧測定時以外のときは肘置き部を本体の支軸部より下側に収納して非使用状態としておく。
【００１３】
また、肘置き部は、本体にスライド出入可能に収納されることが好ましい。この場合、血圧測定時には肘置き部を本体からスライドにより出して肘置き状態とし、それ以外のときは肘置き部を本体にスライドにより入れて非使用状態としておく。
【００１４】
また、肘置き部は、非使用状態では本体を支持する脚部として、肘置き状態では脚部及び肘置き部として機能するように、本体に設けられた支軸部により回転可能に取付けられていることが好ましい。この場合、血圧測定時には肘置き部を回転させて、肘置き部が脚部及び肘置き部として機能する肘置き状態とし、それ以外のときは肘置き部を回転させて、肘置き部が脚部のみとして機能する非使用状態としておく。
【００１５】
また、肘置き部は、肘置き状態では脚部及び肘置き部として機能するように、本体に一体に設けられていることが好適である。この場合、血圧測定時には例えば本体を傾けることで、肘置き部が脚部及び肘置き部として機能する肘置き状態とし、それ以外のときは本体を元の状態に戻して非使用状態としておく。
【００１６】
また、肘置き部は、この肘置き部を肘置き状態に位置変更させたときに、腕挿通部が手前側からその反対側に向かって斜め下向きとなる本体の傾斜状態を支持する形状を有するのが好ましい。この場合、血圧測定時に肘置き部を肘置き状態にすると、本体が傾斜状態になるのに伴い、腕挿通部が手前側からその反対側に向かって斜め下向きとなり、血圧測定時に腕挿通部から出た肘を肘置き部に置いたときに、腕を自然な形で腕挿通部に挿通しておくことができる。
【００１７】
一方、別の電子血圧計は、本体に貫通状の腕挿通部を設け、この腕挿通部に円筒状のカフを設けたものにおいて、本体の腕挿通部に腕を挿通したときに腕挿通部から出た肘を置く肘置き部を本体に着脱可能に構成したことを特徴とする。
【００１８】
この電子血圧計では、血圧測定時には肘置き部を本体に取付けて肘置き状態とし、それ以外のときは肘置き部を本体から取り外して非使用状態としておく。
【００１９】
更に、別の電子血圧計は、本体に貫通状の腕挿通部を設け、この腕挿通部に円筒状のカフを設けたものにおいて、本体の腕挿通部に腕を挿通したときに腕挿通部から出た肘を置く肘置き部を本体に突設したことを特徴とする。
【００２０】
上記のような電子血圧計において、いずれも肘置き部は、肘よりも基端側を支持する基端支持部と、この基端支持部に曲がって連続するとともに肘よりも末端側を支持する末端支持部とからなり、基端支持部と末端支持部との変曲部が肘支持部となることが望ましい。これにより、肘置き部を肘置き状態としたときに肘を人間工学的に自然な姿勢で肘置き部に置くことが可能となる。
【発明の効果】
【００２１】
本発明によれば、正しい深さまで腕の挿通を誘導することができる肘置き部を有するので、正しい測定部位で血圧を測定することができ、それにより正しい血圧測定結果が得られるにもかかわらず、血圧測定時以外のときは肘置き部が邪魔にならず、省スペース化が図れる。また、正しい測定部位で血圧を測定することができ、それにより正しい血圧測定結果が得られるにもかかわらず、家庭用血圧計として省スペース化を維持した血圧計を提供することができる。
【００２２】
更に、血圧測定時に肘置き部を肘置き状態にしたときに、腕挿通部が手前側からその反対側に向かって斜め下向きとなる構成とすることで、本体の腕挿通部から出た肘を肘置き部に自然な形で置けるようになり、より無理の少ない自然な測定姿勢で測定ができ、より正しい血圧測定を行うことができる。
【００２３】
従って、家庭用血圧計としての利点（小型・軽量で持ち運びに便利な点）を損なわずに精度の高い血圧測定結果が得られる。
【発明を実施するための最良の形態】
【００２４】
以下、実施の形態により、この発明を更に詳細に説明する。
【００２５】
その第１の実施形態に係る電子血圧計１Ａの概略断面図を図１に、その電子血圧計における肘置き部の平面図（上面図）を図２に、その肘置き部の底面図（裏面図）を図３に示す。
【００２６】
この電子血圧計１Ａは、本体１０に貫通状の腕挿通部１１を設け、この腕挿通部１１に円筒状のカフ（図示せず）を設けたもので、本体１０の腕挿通部１１に腕を挿通したときに腕挿通部１１から出た肘を置く肘置き部２０を本体１０に付設してなる。肘置き部２０は、肘置き状態（実線）と非使用状態（二点鎖線）とで位置変更可能に構成されている。図面には示されていないが、本体１０には回路基板、エアポンプ、配管系、操作部等が配備されている。
【００２７】
肘置き部２０は、本体１０の背面下部に設けられた支軸部１５により肘置き状態と非使用状態とに回転可能に支持され、非使用状態では本体１０の支軸部１５より上側に収納されるように構成されている。肘置き部２０は、肘よりも基端側（肩側）を支持する基端支持部２１と、この基端支持部２１に曲がって連続するとともに肘よりも末端側（手側）を支持する末端支持部２２とからなり、基端支持部２１と末端支持部２２との変曲部が肘支持部２３となっている。図１から明らかなように、肘置き部２０は、肘を人間工学的に自然な形で置けるように全体的に「く」の字状に曲がっている。
【００２８】
また、肘置き部２０は、収納状態（非使用状態）を保持するための凸部２５と、収納状態から引き出すときに利用する把手２６とを末端支持部２２に有するとともに、肘置き面側には肘を含む腕の位置がずれないようにするためのＵ字状の凹部２７が設けられている。この肘置き部２０の凸部２５に対応する本体１０の位置には、凸部２５が嵌合する凹部（図示せず）が設けられており、凸部２５を凹部に嵌合させることで、肘置き部２０が本体１０に収納された状態が保持される。この収納状態から把手２６を持って肘置き部２０を引き出すと、実線で示す肘置き状態となる。
【００２９】
図１において、この電子血圧計１Ａでは、血圧測定時には肘置き部２０を実線のように引き出して肘置き状態とし、本体１０の腕挿通部１１に腕を挿通する。ここでは、図面の左側から右側に向かって挿通する。このとき、肘が肘置き部２０の肘支持部２３に乗るのを目安にして腕を挿通し、肘を肘置き部２０に置く。それにより、使用者は腕をどこまで挿通したらいいかが明確に分かり、腕を正しい深さ（位置）まで挿通することができるので、正しい血圧測定結果が得られる。
【００３０】
血圧測定時以外のときには、肘置き部２０の凸部２５を本体１０の凹部に嵌合させて、肘置き部２０を非使用状態としておく。これにより、測定時以外のときは肘置き部２０が邪魔にならず、省スペース化が図れる。
【００３１】
第２の実施形態に係る電子血圧計１Ｂの概略断面図を図４に示す。但し、上記電子血圧計１Ａと同じ要素には同一符号を付してある。この電子血圧計１Ｂは、肘置き部３０が非使用状態では本体１０の支軸部１５より下側に収納されるようになっている。すなわち、肘置き部３０は、非使用状態（実線）では本体１０の下部に設けられた収納部１２に収納され、肘置き状態（二点鎖線）では収納部１２から引き出される。肘置き部３０は基端支持部３１、末端支持部３２及び肘支持部３３からなるのは前記と同じであるが、末端支持部３２が第１の実施形態よりも短めに設定されている。すなわち、末端支持部３２は実質的に末端側（手側）を支持できない程度の長さでもよい。また、肘置き部３０は、肘置き状態と非使用状態とでそれぞれの状態が例えば凸部と凹部の嵌合によりロックされるように構成されている。
【００３２】
この電子血圧計１Ｂでは、血圧測定時には肘置き部３０を二点鎖線のように引き出して肘置き状態とし、測定時以外のときには、肘置き部３０を実線のように収納部１２に収納して非使用状態としておく。勿論、この電子血圧計１Ｂでも、上記電子血圧計１Ａと同等の作用効果が得られる。
【００３３】
第３の実施形態に係る電子血圧計１Ｃの概略断面図を図５に示す。この電子血圧計１Ｃでは、本体１０の下部（底部）の一部だけが脚部１３になっており、脚部１３は図５に示す血圧測定時には本体１０を支持する。肘置き部２０も、測定時には本体１０を支持する脚部として機能する。また、脚部１３は、血圧測定のときに腕挿通部１１が手前側からその反対側に向かって斜め下向きとなる本体１０の傾斜状態を支持する形状を有している。      
【００３４】
この電子血圧計１Ｃは、本体１０はカフ機能だけを備えており、それ以外の機能（回路基板、エアポンプ、操作部等）はエアチューブ１７を介して接続された別本体（図示せず）に装備されている。更に、本体１０の頂部には、当該本体１０を持ち運び易くするための把手１８が取付けられている。なお、肘置き部２０は、前記電子血圧計１Ａのものと同じである。
【００３５】
この電子血圧計１Ｃによると、血圧測定時に肘置き部２０を肘置き状態にすると、本体１０が傾斜状態になるのに伴い、腕挿通部１１が手前側からその反対側に向かって斜め下向きとなる。このため、腕挿通部１１に腕を挿通し易くなるとともに、腕挿通部１１から出た肘を肘置き部２０に置いた状態で腕挿通部１１が腕（特に上腕）の傾きに適合するようになるので、測定時に一層自然な姿勢を取ることができ、より正しい血圧測定結果を得ることができる。
【００３６】
第４の実施形態に係る電子血圧計１Ｄの概略断面図を図６に示す。この電子血圧計１Ｄは、上記電子血圧計１Ｃの変更例であり、肘置き部４０が基端支持部４１、末端支持部４２及び肘支持部４３からなるのは同様であるが、第２の実施形態と同様に末端支持部４２が短めに設定されている。勿論、肘置き部４０は、当該肘置き部４０を収納状態で保持するための凸部４５を有する。
【００３７】
第５の実施形態に係る電子血圧計１Ｅの肘置き部を収納した状態での概略断面図を図７に、肘置き部を引き出した状態での概略断面図を図８に示す。この電子血圧計１Ｅは、肘置き部５０が本体１０の下部の収納部１２にスライド出入可能に収納されるように構成されている。肘置き部５０は、基端支持部５１、末端支持部５２及び肘支持部５３からなり、末端支持部５２の端部に把手５６が形成されている。この肘置き部５０は、図８の肘置き状態では、末端支持部５２が当該肘置き部５０を支持する脚部としても機能する。
【００３８】
この電子血圧計１Ｅでは、血圧測定時には肘置き部５０を図８のように引き出して肘置き状態とし、それ以外のときには、肘置き部５０を図７のように収納部１２に収納して非使用状態としておく。
【００３９】
第６の実施形態に係る電子血圧計１Ｆの肘置き部の非使用状態での概略断面図を図９に、肘置き部の肘置き状態での概略断面図を図１０に示す。この電子血圧計１Ｆでは、本体１０の底部に脚部１９と、脚部を兼ねる肘置き部６０とが設けられている。脚部１９の底面１９ａは傾斜面になっており、肘置き部６０の非使用状態では脚部１９の一辺が接地し、肘置き部６０の肘置き状態では脚部１９の底面１９ａが接地する。肘置き部６０は、基端支持部６１、末端支持部６２及び肘支持部６３からなり、非使用状態では末端支持部６２の端面６２ａが接地し、肘置き状態では末端支持部６２の端面６２ｂが接地する。つまり、肘置き部６０は、非使用状態では単に脚部としてだけ機能し、肘置き状態では脚部と肘置き部を兼用することになる。
【００４０】
この電子血圧計１Ｆでは、図９のように肘置き部６０を非使用状態にしたときは、本体１０は脚部１９と肘置き部６０により支持される。図１０のように血圧測定時に肘置き部６０を肘置き状態にすると、本体１０は同じく脚部１９と肘置き部６０で支持されるが、上記電子血圧計１Ｃ，１Ｄと同様に傾斜状態になるのに伴い、腕挿通部１１が手前側からその反対側に向かって斜め下向きとなる。このため、前記したように腕挿通部１１に腕を挿通し易くなるとともに、腕挿通部１１から出た肘を肘置き部６０の肘支持部６３に置いた状態で腕挿通部１１が腕（特に上腕）の傾きに適合するようになるので、測定時に正しい測定位置で一層自然な姿勢を取ることができ、より正しい血圧測定結果を得ることができる。
【００４１】
第７の実施形態に係る電子血圧計１Ｇの肘置き部の非使用状態での概略断面図を図１１に、肘置き部の肘置き状態での概略断面図を図１２に示す。この電子血圧計１Ｇは、肘置き部７０が本体１０の背面下部に一体に突設されたものである。肘置き部７０は、基端支持部７１、末端支持部７２及び肘支持部７３からなり、それらの底面７１ａが全体的に湾曲面になっている。肘置き部７０は、非使用状態では単に本体１０の背面から突出しているだけであるが、肘置き状態では本体１０を傾けることで湾曲底面７１ａが接地し、この湾曲底面７１ａにより本体１０が傾斜状態で支持される。つまり、肘置き部７０は、肘置き状態では脚部と肘置き部を兼用することになる。
【００４２】
この電子血圧計１Ｇによれば、血圧測定時に肘置き部７０の湾曲底面７１ａで本体１０を支持することにより、使用者に応じて本体１０、すなわち腕挿通部１１を任意の傾斜角度に傾けることができる。このようにする理由は、使用者の腕の太さや長さ等は体格により異なるため、本体１０の腕挿通部１１に腕を挿通したときに腕挿通部１１の傾斜角度が一定であるよりも、使用者に応じて任意の傾斜角度に調整できる方が良いからである。勿論、肘置き部７０は、例えば上記電子血圧計１Ｆ（図９及び図１０）の肘置き部６０のように、傾斜面から構成された底面を持つものであってもよい。
【００４３】
第８の実施形態に係る電子血圧計１Ｈの概略断面図を図１３に示す。この電子血圧計１Ｈは、肘置き部８０が本体１０に着脱可能に取付けられるものである。肘置き部８０は、基端支持部８１、末端支持部８２及び肘支持部８３からなり、基端支持部８１の端部には、肘置き部８０を本体１０に取付けるためのフック８６が突設されている。このフック８６に対応して、本体１０には、例えば本体１０が図１４に示すような形状（図１５と同じ形状）である場合は、本体１０の背面側の腕挿通部１１よりも下側にフック係止穴１１０が形成されている。ここでは、フック係止穴１１０は２つであるが、フック８６の形状や個数に応じて適宜変更すればよい。
【００４４】
また、本体１０の底面１０ａは、当初から腕挿通部１１が手前側からその反対側に向かって斜め下向きとなるように傾斜面になっている。従って、本体１０をテーブル等に置いた状態では、傾斜底面１０ａが接地することで、本体１０、すなわち腕挿通部１１は傾斜している。但し、図１３では、本体１０が水平になるように描いてある。
【００４５】
この電子血圧計１Ｈによると、肘置き部８０の非使用状態では、肘置き部８０を本体１０から取り外しておく。血圧測定時には肘置き部８０のフック８６を本体１０のフック係止穴１１０に差し込み、肘置き部８０を本体１０の背面から突出する肘置き状態とする。この肘置き状態では、肘置き部８０の末端支持部８２の底面８２ａが接地し、本体１０が傾斜状態で支持され、血圧測定時の本体１０の安定性が良くなる。
【図面の簡単な説明】
【００４６】
【図１】第１の実施形態に係る電子血圧計の概略断面図である。
【図２】第１の実施形態に係る電子血圧計における肘置き部の平面図（上面図）である。
【図３】第１の実施形態に係る電子血圧計における肘置き部の底面図（裏面図）である。
【図４】第２の実施形態に係る電子血圧計の概略断面図である。
【図５】第３の実施形態に係る電子血圧計の概略断面図である。
【図６】第４の実施形態に係る電子血圧計の概略断面図である。
【図７】第５の実施形態に係る電子血圧計の肘置き部を収納した状態での概略断面図である。
【図８】第５の実施形態に係る電子血圧計の肘置き部を引き出した状態での概略断面図である。
【図９】第６の実施形態に係る電子血圧計の肘置き部の非使用状態での概略断面図である。
【図１０】第６の実施形態に係る電子血圧計の肘置き部の肘置き状態での概略断面図である。
【図１１】第７の実施形態に係る電子血圧計の肘置き部の非使用状態での概略断面図である。
【図１２】第７の実施形態に係る電子血圧計の肘置き部の肘置き状態での概略断面図である。
【図１３】第８の実施形態に係る電子血圧計の肘置き部を本体に取付けた状態での概略断面図である。
【図１４】第８の実施形態に係る電子血圧計の本体の一例を示す外観斜視図である。
【図１５】従来例に係る電子血圧計の一例を示す外観斜視図である。
【符号の説明】
【００４７】
１（Ａ〜Ｈ）        電子血圧計                                                  １０                本体
１１                腕挿通部
１２                収納部
１５                支軸部
２０，３０，４０    肘置き部
５０，６０，７０    肘置き部
８０                肘置き部
２１，３１，４１    基端支持部
５１，６１，７１    基端支持部
８１                基端支持部
２２，３２，４２    末端支持部
５２，６２，７２    末端支持部
８２                末端支持部
２３，３３，４３    肘支持部
５３，６３，７３    肘支持部
８３                肘支持部
【図１】
2006000337.tif 000003
【図２】
2006000337.tif 000004
【図３】
2006000337.tif 000005
【図４】
2006000337.tif 000006
【図５】
2006000337.tif 000007
【図６】
2006000337.tif 000008
【図７】
2006000337.tif 000009
【図８】
2006000337.tif 000010
【図９】
2006000337.tif 000011
【図１０】
2006000337.tif 000012
【図１１】
2006000337.tif 000013
【図１２】
2006000337.tif 000014
【図１３】
2006000337.tif 000015
【図１４】
2006000337.tif 000016
【図１５】
2006000337.tif 000017